【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
基地局の電力節約動作管理方法であって、
移動局からスリープモード進入要請メッセージを受信する段階と、
前記移動局に対して設定される単一のスリープ周期（ｓｉｎｇｌｅ  ｓｌｅｅｐ  ｃｙｃｌｅ）に対する情報を含むスリープモード進入応答メッセージを前記移動局に伝送する段階と、
を含む、電力節約動作管理方法。
【請求項２】
前記単一のスリープ周期は、
前記基地局と前記移動局との間に連結される無線チャンネル全部に適用される、請求項１に記載の電力節約動作管理方法。
【請求項３】
前記無線チャンネルがベストエフォートトラフィック特性を有する場合に前記スリープ周期は可変である、請求項２に記載の電力節約動作管理方法。
【請求項４】
前記スリープ周期はスリープウィンドウおよびリスニングウィンドウを含み、
前記スリープ周期は以前のスリープ周期のリスニングウィンドウの間のデータトラフィックの有無により可変である、請求項２に記載の電力節約動作管理方法。
【請求項５】
以前のスリープ周期のリスニングウィンドウの間のデータトラフィックがなければ、次のスリープ周期のスリープウィンドウが以前のスリープ周期のスリープウィンドウより長く拡張される、請求項４に記載の電力節約動作管理方法。
【請求項６】
前記無線チャンネルのうちの少なくとも１つのチャンネルがリアルタイムトラフィック特性を有する場合に前記スリープ周期は固定される、請求項２に記載の電力節約動作管理方法。
【請求項７】
移動局の電力節約動作管理方法であって、
スリープモード進入要請メッセージを基地局に伝送する段階と、
前記基地局から前記移動局に対して設定される単一のスリープ周期（ｓｉｎｇｌｅ  ｓｌｅｅｐ  ｃｙｃｌｅ）に対する情報を含むスリープモード進入応答メッセージを受信する段階と、
を含む電力節約動作管理方法。
【請求項８】
前記単一のスリープ周期は、
前記基地局と前記移動局との間に連結される無線チャンネル全部に適用される、請求項７に記載の電力節約動作管理方法。
【請求項９】
前記無線チャンネルがベストエフォートトラフィック特性を有する場合に前記スリープ周期は可変である、請求項８に記載の電力節約動作管理方法。
【請求項１０】
前記スリープ周期はスリープウィンドウおよびリスニングウィンドウを含み、
前記スリープ周期は以前のスリープ周期のリスニングウィンドウの間のデータトラフィック有無により可変である、請求項８に記載の電力節約動作管理方法。
【請求項１１】
以前のスリープ周期のリスニングウィンドウの間のデータトラフィックがなければ、次のスリープ周期のスリープウィンドウが以前のスリープ周期のスリープウィンドウより長く拡張される、請求項１０に記載の電力節約動作管理方法。
【請求項１２】
前記無線チャンネルのうちの少なくとも１つのチャンネルがリアルタイムトラフィック特性を有する場合に前記スリープ周期は固定される、請求項８に記載の電力節約動作管理方法。
【請求項１３】
移動局の電力節約動作管理方法であって、
前記移動局に対して設定されたスリープ周期タイプの変更を要請する要求メッセージを基地局に伝送する段階と、
前記基地局から前記要求メッセージに対する応答メッセージを受信する段階と、
を含む電力節約動作管理方法。
【請求項１４】
前記移動局は前記スリープ周期タイプを前記基地局と前記移動局との間に予め協議された複数のスリープ周期タイプのうちのいずれか１つに変更することを要請する、請求項１３に記載の電力節約動作管理方法。
【請求項１５】
前記スリープ周期タイプは前記基地局と前記移動局との間に連結される無線チャンネル全部に適用される、請求項１４に記載の電力節約動作管理方法。
【請求項１６】
前記応答メッセージは変更されたスリープ周期タイプが適用される開始フレーム番号を含む、請求項１３に記載の電力節約動作管理方法。
【請求項１７】
基地局の電力節約動作管理方法であって、
移動局に対して設定されたスリープ周期タイプの変更を要請する要求メッセージを前記移動局に伝送する段階と、
前記移動局から前記要求メッセージに対する応答メッセージを受信する段階と、
を含む電力節約動作管理方法。
【請求項１８】
前記基地局は前記スリープ周期タイプを前記基地局と前記移動局との間に予め協議された複数のスリープ周期タイプのうちのいずれか１つに変更することを要請する、請求項１７に記載の電力節約動作管理方法。
【請求項１９】
前記スリープ周期タイプは前記基地局と前記移動局との間に連結される無線チャンネル全部に適用される、請求項１８に記載の電力節約動作管理方法。
【請求項２０】
前記要求メッセージは変更されたスリープ周期タイプが適用される開始フレーム番号を含む、請求項１７に記載の電力節約動作管理方法。
【請求項２１】
基地局の電力節約動作管理方法であって、
移動局に対して設定されたスリープ周期のリスニングウィンドウの間に前記移動局とデータを送受信する段階と、
元来設定されたリスニングウィンドウの長さより長くなるように前記リスニングウィンドウを拡張する段階と、
を含む電力節約動作管理方法。
【請求項２２】
元来設定されたリスニングウィンドウの間に前記データ送受信を完了しない場合に前記リスニングウィンドウを拡張する、請求項２１に記載の電力節約動作管理方法。
【請求項２３】
元来設定されたリスニングウィンドウの間にＨＡＲＱ動作が完了しない場合に前記リスニングウィンドウを拡張する、請求項２１に記載の電力節約動作管理方法。
【請求項２４】
前記リスニングウィンドウは前記スリープ周期の長さより長くなく拡張される、請求項２１に記載の電力節約動作管理方法。
【請求項２５】
移動局の電力節約動作管理方法であって、
前記移動局に対して設定されたスリープ周期のリスニングウィンドウの間に基地局とデータを送受信する段階と、
元来設定されたリスニングウィンドウの長さより長くなるように前記リスニングウィンドウを拡張する段階と、
を含む電力節約動作管理方法。
【請求項２６】
元来設定されたリスニングウィンドウの間に前記データ送受信を完了しない場合に前記リスニングウィンドウを拡張する、請求項２５に記載の電力節約動作管理方法。
【請求項２７】
元来設定されたリスニングウィンドウの間にＨＡＲＱ動作が完了しない場合に前記リスニングウィンドウを拡張する、請求項２５に記載の電力節約動作管理方法。
【請求項２８】
前記リスニングウィンドウは前記スリープ周期の長さより長くなく拡張される、請求項２５に記載の電力節約動作管理方法。
【請求項２９】
移動局の電力節約動作管理方法であって、
前記移動局に対して設定されたスリープ周期のスリープウィンドウで上向リンクメッセージを基地局で伝送する段階と、
前記スリープウィンドウで前記アップリンクメッセージのトランザクションのために臨時リスニング状態を維持する段階と、
を含み、
前記スリープ周期は前記臨時リスニング状態維持によって影響を受けない電力節約動作管理方法。
【請求項３０】
前記スリープ周期はリスニングウィンドウおよび前記スリープウィンドウを含み、前記リスニングウィンドウの長さおよび前記スリープウィンドウの長さは前記臨時リスニング状態維持によって影響を受けない、請求項２９に記載の電力節約動作管理方法。
【請求項３１】
前記臨時リスニング状態が終了すると、元来のスリープウィンドウ期間から臨時リスニング状態期間を差し引いただけの残存スリープウィンドウが維持される段階
をさらに含む、請求項２９に記載の電力節約動作管理方法。
【請求項３２】
受信機の電力節約方法において、
送信機と前記受信機との間に複数のチャンネルが存在する場合に、前記複数のチャンネル全部に適用される単一の動作周期（ｓｉｎｇｌｅ  ｏｐｅｒａｔｉｏｎ  ｃｙｃｌｅ）を設定する段階と、
前記単一の動作周期によって活性区間（ａｃｔｉｖｅ  ｄｕｒａｔｉｏｎ）と非活性区間（ｉｎａｃｔｉｖｅ    ｄｕｒａｔｉｏｎ）を繰り返す段階と
を含み、
前記単一の動作周期は、前記チャンネルのトラフィック状況（ｔｒａｆｆｉｃ  ｓｉｔｕａｔｉｏｎ）によって、第１動作周期から前記第１動作周期と異なるパターンを有する第２動作周期に変更することができる電力節約方法。